(57)【要約】【課題】カメラに接続されているカメラアクセサリを考慮して、インターバルタイマ撮影のレリーズ間隔を一定に保つことを可能にしつつ、省電力についても考慮した電子カメラを提供すること。【解決手段】オートパワーオフ機能を備え、予め設定されたタイミングで自動レリーズ動作を行うカメラであって、カメラに接続されているカメラアクセサリを判別する判別手段と、判別手段によって得られた結果に基づいて、カメラがオートパワーオフ状態に遷移するまでに要する時間を算出する第一の算出手段と、カメラがオートパワーオフ状態からレリーズ可能状態に遷移するまでに要する時間を算出する第二の算出手段と、第一および第二の算出手段によって得られた結果に基づいて、オートパワーオフ状態への遷移を行うか否かを決定することを特徴とする。【選択図】図１
2017120946.tif 000002
【特許請求の範囲】
【請求項１】
オートパワーオフ機能を備え、予め設定されたタイミングで自動レリーズ動作を行う撮像装置であって、
前記撮像装置に接続されているカメラアクセサリを判別する判別手段と、
前記判別手段によって得られた結果に基づいて、前記撮像装置がオートパワーオフ状態に遷移するまでに要する時間を算出する第一の算出手段と、
前記撮像装置がオートパワーオフ状態からレリーズ可能状態に遷移するまでに要する時間を算出する第二の算出手段と、
前記第一および第二の算出手段によって得られた結果に基づいて、オートパワーオフ状態への遷移を行うか否かを決定することを特徴とする撮像装置。
【請求項２】
前記カメラアクセサリは、交換レンズであることを特徴とする請求項１に記載の撮像装置。
【請求項３】
前記カメラアクセサリは、外部ストロボであることを特徴とする請求項１に記載の撮像装置。
【請求項４】
前記カメラアクセサリは、内蔵ストロボであることを特徴とする請求項１に記載の撮像装置。
【請求項５】
前記算出手段は、前記カメラアクセサリに関わるカメラ設定に基づくことを特徴とする請求項１に記載の撮像装置。
【発明の詳細な説明】
【技術分野】
【０００１】
本発明は、オートパワーオフ機能を有する撮像装置に関する。
【背景技術】
【０００２】
被写体画像を電気信号に変換して画像データとして記録媒体に記録する電子カメラに置いて、従来、所定の撮影間隔（以下、インターバル時間）で、撮影動作を繰り返すインターバルタイマ撮影機能がある。これは、所定の操作によりインターバルタイマ撮影動作を開始すると、まず１枚目の撮影を行うと同時に計時を開始し、次の撮影待ちとなる。そしてインターバル時間経過後に、撮影動作を行った後、再び次の所定時間まで待機し、これを所定の回数（以下、インターバル撮影回数）繰り返すように動作するといった機能である。
【０００３】
一方、近年の電子カメラは、省電力のため、カメラの操作が一定時間行われなかった時に、カメラの電源を自動的にオフするオートパワーオフ機能を有する。
【０００４】
上記の機能を組み合わせることで、インターバル時間が所定時間（以下、オートパワーオフ時間）以上の場合は、カメラの電源が一旦オフされてオートパワーオフ状態となり、次の撮影直前にカメラを復帰させて撮影を行うことで、インターバル時間が長時間の場合でも、省電力を考慮することが可能となる。
【０００５】
しかしながら、カメラがオートパワーオフ状態から撮影可能状態に遷移するまでにはある程度の時間（以下、カメラ復帰処理時間）を要する。そのため、カメラが復帰開始するタイミングによっては、インターバル時間を過ぎてレリーズ動作を行ってしまい、インターバルタイマ撮影のレリーズ間隔、つまり、インターバル時間を一定に保つことが困難となる。
【０００６】
これに対して、特許文献１には、インターバルタイマ撮影において、カメラが復帰する際のレンズ鏡筒動作時間を考慮してカメラ復帰処理時間を見積もることで、インターバル時間経過後のレリーズ動作を設定したタイミングで確実に実施することで、インターバル時間を一定に保つことを可能にした電子カメラが開示されている。
【先行技術文献】
【特許文献】
【０００７】
【特許文献１】特開２００４−１３４８４５号公報
【発明の概要】
【発明が解決しようとする課題】
【０００８】
ところで、外付け／内蔵を問わず、カメラに接続される交換レンズやストロボ等のカメラアクセサリの種類やその接続状況、あるいは、それらに関わるカメラ設定状態によってカメラの起動や撮影準備処理に要する時間が異なる。
【０００９】
例えば、カメラに接続されたレンズの種類毎に、レンズ光学補正処理、ＡＦ動作等の撮影準備処理、あるいはＡＦ有効／無効等のレンズに関わるカメラ設定によって、要する時間が異なる。
【００１０】
ストロボ撮影の場合、例えば内蔵ストロボか外部ストロボかによってもストロボ充電時間等が異なる。また、ストロボによってはオートバウンス機能を有するものが存在し、その場合は、レリーズ前にバウンス角度を決定するための準備動作が必要となるため、その動作に要する時間を考慮する必要がある。
【００１１】
一方で、カメラが起動状態からオートパワーオフ状態に遷移する際の処理にも、ある程度の時間（以下、オートパワーオフ遷移処理時間）を要する。例えば、交換レンズが手ブレ補正機能（以下、ＩＳ）を有する場合、電源ＯＦＦやオートパワーオフ遷移時に、レンズのＩＳオフ制御や通電解除処理等が必要となる場合がある。
【００１２】
このように、カメラに接続されたカメラアクセサリの種類によって、オートパワーオフ遷移処理時間およびカメラ復帰処理時間が変化することが考えられる。
【００１３】
そのため、次のレリーズまでの時間が、オートパワーオフ遷移処理時間とカメラ復帰処理時間を合計した時間よりも短いときにインターバル時間中のオートパワーオフ遷移がなされる場合、実際のレリーズタイミングが当初の設定より遅れてしまう恐れがある。つまり、カメラがインターバル時間中にオートパワーオフ状態に遷移するタイミングによっては、インターバル時間を過ぎてレリーズ動作を行ってしまい、インターバル時間を一定に保つことが困難になることが懸念される。
【００１４】
しかしながら、上述の特許文献１に開示された従来技術は、レンズ鏡筒動作のように、インターバルタイマ撮影においてカメラ復帰処理時間がほぼ一定である場合を考慮したものであり、オートパワーオフ状態への遷移処理に時間が掛かる場合や、接続されたカメラアクセサリの種類等によって処理時間が変化する場合を考慮したものではない。
【００１５】
また、インターバルタイマ撮影中はカメラのオートパワーオフ機能を禁止することも考えられるが、省電力を考慮することが困難になってしまう。
【００１６】
そこで、本発明は、カメラに接続されているカメラアクセサリを考慮して、インターバルタイマ撮影のレリーズ間隔を一定に保つことを可能にしつつ、省電力についても考慮した電子カメラを提供することを目的とする。
【課題を解決するための手段】
【００１７】
上記の目的を達成するために、本発明に係る撮像装置は、
オートパワーオフ機能を備え、予め設定されたタイミングで自動レリーズ動作を行う撮像装置であって、撮像装置に接続されているカメラアクセサリを判別する判別手段と、判別手段によって得られた結果に基づいて、撮像装置がオートパワーオフ状態に遷移するまでに要する時間を算出する第一の算出手段と、撮像装置がオートパワーオフ状態からレリーズ可能状態に遷移するまでに要する時間を算出する第二の算出手段と、第一および第二の算出手段によって得られた結果に基づいて、オートパワーオフ状態への遷移を行うか否かを決定することを特徴とする。
【発明の効果】
【００１８】
本発明によれば、カメラに接続されているアクセサリを考慮し、インターバルタイマ撮影のレリーズ間隔を一定に保つことを可能にしつつ、省電力についても考慮した電子カメラを提供することができる。
【図面の簡単な説明】
【００１９】
【図１】本発明の一実施の形態に係る情報処理装置の回路構成を示すブロック図である。
【図２】本発明の実施形態にかかわるカメラの制御フローを示すフローチャートである。
【図３】ステップ２００４の具体的な処理を表した制御フローを示すフローチャートである。
【図４】本実施例におけるインターバル時間ＴＩ、オートパワーオフ時間ＴＡ、オートパワーオフ遷移処理時間ＴＸ、カメラ復帰処理時間ＴＹの関係を表したイメージ図である。
【発明を実施するための形態】
【００２０】
以下に、本発明の好ましい実施の形態を、添付の図面に基づいて詳細に説明する。ここではカメラと接続するカメラアクセサリの例として、交換レンズおよび外部ストロボ、内蔵ストロボを取り上げている。その他にもＧＰＳ機器やＷＦＴといったカメラと接続し得る機器にも、本発明を適用することができる。
【００２１】
（実施例）
図１は本発明の実施形態にかかわるカメラシステムの構成を示すブロック図である。
【００２２】
この装置は、具体的には撮像装置（デジタル一眼レフカメラ）である。５０は、システム全体を制御するシステム制御部である。６１はシャッタースイッチＳＷ１、６２はシャッタースイッチＳＷ２である。
【００２３】
シャッタースイッチ６１（ＳＷ１）は、不図示のシャッターボタンの操作途中でＯＮとなり、ＡＦ処理、ＡＥ処理、ＡＷＢ処理、ＥＦ処理等の動作開始を指示する。シャッタースイッチ６２（ＳＷ２）は、不図示のシャッターボタンの操作完了でＯＮとなり、不図示の撮像素子から読み出した信号を処理した後、その処理で得られた撮影画像を不図示の記録媒体に記録するという一連の処理の動作開始を指示する。
【００２４】
６３は操作部である。操作部６３は、システム制御回路５０の各種動作の指示を入力するための手段であり、スイッチやダイヤル、タッチパネル、視線検知によるポインティング、音声認識装置等の単数或いは複数の組み合わせで構成される。
【００２５】
操作部６３は、各種ボタンやタッチパネル等からなり、メニューボタン、セットボタン、消去ボタン、ＩＳＯ感度選択ボタン、単写／連写／セルフタイマー切替ボタン、メニュー移動＋（プラス）ボタン、メニュー移動−（マイナス）ボタン、再生画像移動＋（プラス）ボタン、再生画像−（マイナス）ボタン、インターバル撮影の設定等の各種操作を実行する際の決定及び実行を設定する決定／実行ボタン、撮影した画像を不図示の記録媒体から読み出して再生するための再生ボタン、シャッタースイッチＳＷ１を押した場合にオートフォーカス動作を開始し、一旦合焦したらその合焦状態を保ち続けるワンショットＡＦモードとシャッタースイッチＳＷ１を押している間は連続してオートフォーカス動作を続けるサーブＡＦモードとを設定することができるＡＦモード設定スイッチ、自動撮影モード・プログラム撮影モード・シャッター速度優先撮影モード・絞り優先撮影モード・マニュアル撮影モード等の各機能撮影モードを切替設定することができるモードダイヤルスイッチ、本撮影装置の電源オン／オフを切り替える電源スイッチ等がある。
【００２６】
７１はレンズ制御部、７２はレンズ検出部である。カメラにレンズが接続されていると、レンズ検出部７２によってレンズがカメラに接続されていることを検出する。レンズが接続されている場合、レンズ制御部７１によって、カメラ−レンズ間で通信を行い、レンズからの情報をカメラに取り込み、またカメラからの情報をレンズに通知する。
【００２７】
カメラ−レンズ間でやりとりされる情報としては、レンズ種類などのレンズ情報、合焦処理やカメラ状態によってレンズの位置合わせを行うためのレンズ駆動処理、レンズの収差補正等を行うためのレンズ光学補正情報等がある。
【００２８】
７３はストロボ制御部、７４は外部ストロボ検出部である。カメラに外部ストロボが接続されていると、外部ストロボ検出部７４によって外部ストロボがカメラに接続されていることを検出する。外部ストロボが接続されている場合、ストロボ制御部７３によって、カメラ−外部ストロボ間で通信を行い、ストロボ制御を行う。あるいは、外部ストロボが接続されておらず、カメラが内蔵ストロボを使用する場合、ストロボ制御部７３によって、カメラ−内蔵ストロボ間で通信を行い、ストロボ制御を行う。
【００２９】
７５は内蔵ストロボ制御部である。本実施形態では内蔵ストロボを備える構成としているが、内蔵ストロボを備えていない構成であっても構わない。
【００３０】
８１は測距処理部、８２は測光処理部である。測距処理部８１は、ＡＦ処理を行うための手段であり、不図示のレンズより入射した光線を用いて、合焦処理を行う。測光処理部８２は、ＡＥ処理を行うための手段であり、不図示のレンズより入射した光線を用いて、露出処理を行い、露出条件（絞り、シャッタースピード）の設定を行う。また、測光処理部８２は、ストロボ制御部７３と連携して、ＥＦ処理機能も有するものである。
【００３１】
８５は電源制御部である。電源制御手段８５は、電池検出回路、ＤＣ−ＤＣコンバータ、通電するブロックを切り替えるスイッチ回路等により構成されており、電池の接続の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００３２】
９１はレンズ処理時間テーブル、９２は外部ストロボ処理時間テーブル、９３は内蔵ストロボ処理時間テーブルである。なお、内蔵ストロボを備えていない構成の場合は、内蔵ストロボ処理時間テーブル９３が無くても構わない。
【００３３】
ここでいう処理時間とは、カメラに接続され得るカメラアクセサリが、カメラの起動状態からオートパワーオフ状態に遷移するまでの処理に要する時間（すなわち、オートパワーオフ遷移処理時間）、そして、オートパワーオフ状態から復帰してレリーズ可能な状態に遷移するまでの処理に要する時間（すなわち、カメラ復帰処理時間）、のことである。例えば、レンズについてのオートパワーオフ遷移処理時間およびカメラ復帰処理時間としては、レンズ情報やレンズ駆動処理、レンズ光学補正情報のためのレンズ通信に要する時間の他、ＩＳ駆動停止処理、ＡＦ／ＭＦ設定がＡＦであれば合焦処理に要する時間等、様々なケースが考えられる。
【００３４】
また、ストロボについてのオートパワーオフ遷移処理時間およびカメラ復帰処理時間としては、カメラ−ストロボ間通信に要する時間の他、ストロボ充電に要する時間、オートバウンス機能が搭載されていればオートバウンス動作に要する時間、ＡＦ補助光の発光動作に要する時間等、様々なケースが考えられる。
【００３５】
ここで、本実施形態では便宜上、オートパワーオフ遷移処理時間およびカメラ復帰処理時間を同一のテーブルに記載し、各処理時間を取得できる構成としている。これについては、オートパワーオフ遷移処理時間テーブルやカメラ復帰処理時間テーブルといったように、テーブルを別々に用意する構成としても構わない。
【００３６】
そして、撮影準備動作に係るレンズ処理時間やストロボ処理時間は、そのレンズ種類やストロボ種類によって異なる。それらを取得する一つの方法としては、レンズ処理時間テーブル９１、外部ストロボ処理時間テーブル９２、内蔵ストロボ処理時間テーブル９３のように、カメラアクセサリ種類−処理時間を対応させたテーブルをカメラ本体内で記憶しておくことで、カメラに接続されたレンズ・ストロボの種類をキーとして、テーブルからその処理時間を取得することが出来る。
【００３７】
他の方法として、例えば、接続されたレンズ・ストロボで過去に実際に駆動したときの処理に要した時間をカメラボディ側で記憶しておく方法も考えられる。
【００３８】
本発明において、その取得方法はこれらに限るものではなく、どのような方法を用いても構わない。
【００３９】
以下、図２〜４を参照して、本発明の実施例による、カメラ動作について説明する。
【００４０】
図４は本実施例におけるインターバル時間ＴＩ、オートパワーオフ時間ＴＡ、オートパワーオフ遷移処理時間ＴＸ、カメラ復帰処理時間ＴＹの関係を表したイメージ図である。
【００４１】
ここで、レリーズ可能状態とは、カメラがレリーズ指示を受けた際に、即レリーズ処理を開始できる状態を指す。また、起動状態とは、カメラが電源オンされた状態であり、撮影のための処理を行っていない状態である。また、オートパワーオフ状態とは、カメラがオートパワーオフ処理によって遷移された省電力のための状態である。
【００４２】
インターバルタイマ撮影において、あるレリーズ動作をＲ１、次のレリーズ動作をＲ２とすると、インターバル時間ＴＩはＲ１からＲ２までの時間を指す。
【００４３】
カメラはＲ１後に起動状態に遷移し、さらに、オートパワーオフ時間ＴＡが経過するとオートパワーオフ状態に遷移している。その際、カメラが起動状態からオートパワーオフ状態への遷移が完了するまでに、オートパワーオフ遷移処理時間ＴＸの時間を要している。その後、カメラはオートパワーオフ状態でしばらく待機し、次のレリーズ動作Ｒ２が近づくと、カメラはオートパワーオフ状態から起動状態、そしてレリーズ可能状態に遷移している。その際、カメラがオートパワーオフ状態からレリーズ可能状態への遷移が完了するまでに、カメラ復帰処理時間ＴＹの時間を要している。ＴＢは、インターバル時間ＴＩからオートパワーオフ時間ＴＡを差し引いた時間である。
【００４４】
カメラは、オートパワーオフ遷移処理時間ＴＸとカメラ復帰処理時間ＴＹの和と、時間ＴＢを比較することによって、カメラがオートパワーオフ状態に遷移して、その状態からカメラを復帰させてもレリーズ動作Ｒ２に間に合うかどうか、を判断している。
【００４５】
なお、本実施例では、便宜上、インターバルタイマ撮影のレリーズ後すぐにレリーズ可能状態から起動状態に遷移するものとし、さらに、次のレリーズ前にオートパワーオフ状態からレリーズ可能状態に遷移するものとしているが、レリーズ前後の状態遷移は、これに限定されるものではない。例えば、レリーズ後すぐに起動状態に遷移せずに、レリーズ可能状態のまま待機してもよく、また、レリーズ前についても、オートパワーオフ状態から起動状態に遷移して、そこでしばらく待機した後に、レリーズ可能状態に遷移させる等、様々なケースが考えられる。
【００４６】
図２は本発明の実施形態にかかわるカメラの制御フローである。
【００４７】
まず、ステップ２００１にて、カメラのインターバルタイマ撮影についての設定を行う。設定内容としては、インターバル時間ＴＩ、インターバル撮影回数、等が挙げられる。
【００４８】
次に、ステップ２００２にて、インターバル時間ＴＩからオートパワーオフ時間ＴＡを差し引いた時間ＴＢを算出する。
【００４９】
次に、ステップ２００４にて、オートパワーオフ遷移処理時間ＴＸとカメラ復帰処理時間ＴＹの合計値を算出する。具体的な算出方法については、図３を用いて後述する。
【００５０】
次に、ステップ２００６にて、カメラはインターバルタイマ撮影を開始する。
【００５１】
次に、ステップ２００７にて、インターバル時間ＴＩが経過したかどうかを判定する。インターバル時間ＴＩが経過したと判定されれば、ステップ２０１５に進む。インターバル時間ＴＩが経過していないと判定されれば、ステップ２００８に進む。
【００５２】
次に、ステップ２００８にて、オートパワーオフ時間ＴＡが経過したかどうかを判定する。オートパワーオフ時間ＴＡが経過したと判定されれば、ステップ２００９に進む。オートパワーオフ時間ＴＡが経過していないと判定されれば、再度ステップ２００７に戻る。
【００５３】
次に、ステップ２００９にて、ステップ２００２にて算出した時間ＴＢと、ステップ２００４にて算出したＴＸとＴＹの合計値とを比較して、時間ＴＢの方が大かどうかを判定する。時間ＴＢの方が大と判定されれば、ステップ２０１０に進む。時間ＴＢの方が大ではないと判定されれば、再度ステップ２００７に戻る。
【００５４】
次に、ステップ２０１０にて、カメラはオートパワーオフに遷移する。
【００５５】
次に、ステップ２０１１にて、次のレリーズまでの残り時間を確認する。残り時間がＴＹである場合は、ステップ２０１２に進む。残り時間がまだＴＹとなっていない場合は、再度ステップ２０１１を行う。
【００５６】
ここで、本実施例では、残り時間を確認するのに時間ＴＹを用いているが、例えば、カメラ復帰処理にある程度の余裕を確保するために、ＴＹ＋α（αはカメラ復帰処理時間の補正値）を用いて残り時間の確認を行っても構わない。
【００５７】
次に、ステップ２０１２にて、カメラはオートパワーオフ状態からの復帰処理を行う。
【００５８】
次に、ステップ２０１５にて、カメラは撮影準備動作を行う。これにより、カメラは起動状態からレリーズ可能状態に遷移される。
【００５９】
次に、ステップ２０１６にて、カメラはレリーズ処理を行う。
【００６０】
次に、ステップ２０１７にて、予め設定されているインターバルタイマ撮影の設定条件を確認し、インターバルタイマ撮影を終了しても良いかを判定する。終了と判定されれば、本シーケンスを終了する。終了しないと判定されれば、ステップ２００７に戻る。
【００６１】
図３はステップ２００４の具体的な処理を表した制御フローである。
【００６２】
ここで、ＴＸＬ、ＴＹＬは、それぞれ、レンズに応じたオートパワーオフ遷移処理時間、カメラ復帰処理時間を表す。また、ＴＸＮ、ＴＹＮは、それぞれ、内蔵ストロボに応じたオートパワーオフ遷移処理時間、カメラ復帰処理時間を表す。また、ＴＸＧ、ＴＹＧは、それぞれ、外部ストロボに応じたオートパワーオフ遷移処理時間、カメラ復帰処理時間を表す。
【００６３】
まず、ステップ３００１にて、カメラにレンズが接続されているかどうかを判定する。接続されていると判定されれば、ステップ３００２に進む。接続されていないと判定されれば、ステップ３００４にて、時間ＴＸＬ＝０、時間ＴＹＬ＝０として、ステップ３０１０に進む。
【００６４】
次に、ステップ３００２にて、接続されているレンズの種類を取得する。レンズを接続した際に実行されるカメラ−レンズ間通信において、レンズから通知される情報に基づいて、カメラはレンズ種類を取得することが出来る。
【００６５】
次に、ステップ３００３にて、取得したレンズ種類を用いてレンズ処理時間テーブル９１に基づき、時間ＴＸＬおよび時間ＴＹＬを取得する。
【００６６】
ここで、取得したレンズ種類がテーブル９１に無い場合、あるいは、レンズ種類が取得できずテーブル９１を検索できない場合は、予め定めておいた固定値をＴＸＬ、ＴＹＬとして設定する。また、カメラの様々な動作中にその処理時間を計時することで、ＴＸＬ、ＴＹＬに設定する固定値を更新・保持しておいてもよい。
【００６７】
次に、ステップ３０１０にて、カメラに外部ストロボが接続されているかどうかを判定する。接続されていると判定されれば、ステップ３０２１にて、内蔵ストロボに応じた時間ＴＸＮ＝０、ＴＹＮ＝０として、ステップ３０２２に進む。接続されていないと判定されれば、ステップ３０３１にて、外部ストロボに応じた時間ＴＸＧ＝０、ＴＹＧ＝０として、ステップ３０３２に進む。
【００６８】
次に、ステップ３０２２にて、接続されている外部ストロボの種類を取得する。カメラに接続されているストロボが外部ストロボの場合は、カメラ−外部ストロボ間通信において、外部ストロボから通知される情報に基づいて、カメラは外部ストロボ種類を取得することができる。
【００６９】
次に、ステップ３０２３にて、取得した外部ストロボ種類を用いて外部ストロボ処理時間テーブル９２に基づき、時間ＴＸＧおよび時間ＴＹＧを取得し、ステップ３０４０に進む。
【００７０】
ここでは、テーブル９２から得た値をそのまま外部ストロボに応じた処理時間として使用しているが、例えば、ＡＦ補助光機能有効か否か、外部ストロボがオートバウンス機能有効か否か、といったカメラ設定に応じて別途時間をさらに追加で加算することも考えられる。
【００７１】
ここで、取得した外部ストロボ種類がテーブル９２に無い場合、あるいは、外部ストロボ種類が取得できずテーブル９２を検索できない場合は、予め定めておいた固定値をＴＸＧ、ＴＹＧとして設定する。また、カメラの様々な動作中にその処理時間を計時することで、ＴＸＧ、ＴＹＧに設定する固定値を更新・保持しておいてもよい。
【００７２】
次に、ステップ３０３２にて、カメラに内蔵ストロボが接続されているかどうかを判定する。接続されていると判定されれば、ステップ３０３３に進む。接続されていないと判定されれば、ステップ３０３５にて、内蔵ストロボに応じた時間ＴＸＮ＝０、ＴＹＮ＝０として、ステップ３０４０に進む。
【００７３】
次に、ステップ３０３３にて、カメラに接続されている内蔵ストロボの種類を取得する。
【００７４】
次に、ステップ３０３４にて、取得した内蔵ストロボの種類を用いて内蔵ストロボ処理時間テーブル９３に基づき、時間ＴＸＮおよび時間ＴＹＮを取得し、ステップ３０４０に進む。
【００７５】
ここでは、テーブル９３から得た値をそのまま内蔵ストロボに応じた時間として使用しているが、外部ストロボの場合と同様に、例えば、ＡＦ補助光機能有効か否か、といったカメラ設定に応じて別途時間をさらに追加で加算することも考えられる。
【００７６】
ここで、取得した内蔵ストロボ種類がテーブル９２に無い場合、あるいは、内蔵ストロボ種類が取得できずテーブル９３を検索できない場合は、予め定めておいた固定値をＴＸＮ、ＴＹＮとして設定する。また、カメラの様々な動作中にその処理時間を計時することで、ＴＸＮ、ＴＹＮに設定する固定値を更新・保持しておいてもよい。また、内蔵ストロボはそもそもカメラが備える装置であるため、時間ＴＸＮおよび時間ＴＹＮをカメラは予め保持していても良く、その場合はテーブルによる算出が無くても構わない。
【００７７】
次に、ステップ３０４０にて、オートパワーオフ遷移処理時間ＴＸを算出する。具体的な算出方法としては、例えば、ＴＸ＝ＴＸＬ＋ＴＸＧ＋ＴＸＮ＋αが考えられる。
【００７８】
本実施例において、ＴＸＬ＋ＴＸＧ＋ＴＸＮは、カメラに接続されたカメラアクセサリに応じたオートパワーオフ遷移処理時間の総和ということになる。なお、各カメラアクセサリの処理がパラレルに実施される場合は、各時間の総和ではなく、ＴＸＬ、ＴＸＧ、ＴＸＮのいずれかの最大値を用いても良く、これに限るものではない。
【００７９】
ここで、αはオートパワーオフ遷移処理時間の補正値を表す。例えば、カメラアクセサリを除いたカメラ自身が起動状態からオートパワーオフ状態に遷移するのに要する時間を算出し、それをαとしても良い。この場合、予めカメラ本体がその時間を記憶しておいてもよいし、カメラ動作の中で計時してもよい。また、様々な状況下においてインターバルタイマ撮影のレリーズ間隔を一定に保つため、オートパワーオフ遷移処理時間ＴＸにある程度の余裕を確保するための時間をαとしても良い。
【００８０】
次に、ステップ３０４１にて、カメラ復帰処理時間ＴＹを算出する。具体的な算出方法として、例えば、ＴＹ＝ＴＹＬ＋ＴＹＧ＋ＴＹＮ＋βが考えられる。
【００８１】
本実施例において、ＴＹＬ＋ＴＹＧ＋ＴＹＮは、カメラに接続されたカメラアクセサリに応じたカメラ復帰処理時間の総和ということになる。なお、各カメラアクセサリの処理がパラレルに実施される場合は、各時間の総和ではなく、ＴＹＬ、ＴＹＧ、ＴＹＮのいずれかの最大値を用いても良く、これに限るものではない。
【００８２】
ここで、βはカメラ復帰処理時間の補正値を表す。例えば、カメラアクセサリを除いたカメラ自身がオートパワーオフ状態から撮影可能状態に遷移するのに要する時間を算出し、それをβとしても良い。この場合、予めカメラ本体がその時間を記憶しておいてもよいし、カメラ動作の中で計時してもよい。また、様々な状況下においてインターバルタイマ撮影のレリーズ間隔を一定に保つため、カメラ復帰処理時間ＴＹにある程度の余裕を確保するための時間をβとしても良い。
【００８３】
次に、ステップ３０４２にて、ステップ３０４０にて算出したオートパワーオフ遷移処理時間ＴＸと、ステップ３０４１にて算出したカメラ復帰処理時間ＴＹとの和を求める。そして、前述したように、このＴＸ＋ＴＹの値と、インターバル時間ＴＩからオートパワーオフ時間ＴＡを差し引いた時間ＴＢを用いて、ステップ２００９にて、オートパワーオフ遷移を行うか否かを判定する。
【００８４】
このように、カメラアクセサリに応じたオートパワーオフ遷移処理時間ＴＸおよびカメラ復帰処理時間ＴＹを用いて、オートパワーオフ遷移するか否かの判定を行うことで、カメラに接続されているアクセサリを考慮し、インターバルタイマ撮影間隔を一定に保つことが可能となる。
【００８５】
以上、本発明の好ましい実施形態について説明したが、本発明はこれらの実施形態に限定されず、その要旨の範囲内で種々の変形及び変更が可能である。
【符号の説明】
【００８６】
５０  システム制御部、６１  シャッタースイッチＳＷ１、
６２  シャッタースイッチＳＷ２、６３  操作部、７１  レンズ制御部、
７２  レンズ検出部、７３  ストロボ制御部、７４  外部ストロボ検出部、
７５  内蔵ストロボ制御部、８１  測距処理部、８２  測光処理部、８５  電源制御部、
９１  レンズ処理時間テーブル、９２  外部ストロボ処理時間テーブル、
９３  内蔵ストロボ処理時間テーブル
【図１】
2017120946.tif 000003
【図２】
2017120946.tif 000004
【図３】
2017120946.tif 000005
【図４】
2017120946.tif 000006